(57)【要約】【課題】オプションとしてのファクシミリユニットの設置性を向上させる。【解決手段】画像形成装置は、画像信号に基づいてシートに画像を形成する画像形成部を備えており、外部とファクシミリ信号の授受を行うファクシミリユニット２１を、装置本体の前面と背面との間に、前面に対して略垂直に細長く配置してある。これによって、ファクシミリユニットが縦長になっているので、ファクシミリユニットを前面から装置本体に挿入しやすくなって、設置しやすくなる。【選択図】      図３
2004274221.tif 000002
【特許請求の範囲】
【請求項１】
画像信号に基づいてシートに画像を形成する画像形成手段を備えた画像形成装置において、
外部とファクシミリ信号の授受を行うファクシミリユニットを、装置本体の前面と背面との間に、前記前面に対して略垂直に細長く配置したことを特徴とする画像形成装置。
【発明の詳細な説明】
【０００１】
【発明の属する技術分野】
本発明は、複写機、ファクシミリ、プリンタ、スキャナ等の複合機能を有する画像形成装置に関する。
【０００２】
【従来の技術】
シートに画像を形成する画像形成装置には、複写機のデジタル化により、複写機、ファクシミリ、プリンタ、スキャナ等の複数の機能を備えた複合画像形成装置が多くなってきている。
【０００３】
画像形成装置は、複写機を標準機能に備えて、工場での組み立て時、もしくはユーザの要望に応じてサービスマンがオプション機器を複写機に装着することによって、ファクシミリ、プリンタ、スキャナ等の機能を選択的に拡張できるようになっている。
【０００４】
図６は、複合機能を備えた画像形成装置の信号の流れを模式的に示した図である。
【０００５】
画像形成装置３００の基本構成は、標準の複写機能を構成するために画像読取部３０１、画像処理部３０２、および画像出力部３０３とからなっている。
【０００６】
画像読取部３０１は、ＣＣＤ３１１やコンタクトイメージセンサ（ＣＩＳ）３１２等の光電変換素子によって画像情報を電気信号に変換するようになっている。この電気信号は、画像処理部３０２へ送られて、必要な処理が行われた後、画像出力部３０３のレーザスキャナ３１３に送られる。そして、画像出力部３０３のレーザキャナ３１３は、一様に帯電されている感光体ドラム上に、読み取り画像に対応した潜像を形成する。この潜像は、現像器によってトナー現像されて、シートにトナー像として転写される。シートに転写されたトナー像は、不図示の定着器によって定着される。これらの一連の流れによって、シートに画像が形成されたり、あるいは複写されたりする。
【０００７】
ファクシミリ機能を拡張させるためのオプションとしてのファクシミリユニット３０４は、モデム基板３１４、ネットワークコントロール基板（ＮＣＵ）３１５、モジュラージャック３１６、スピーカ３１７等によって構成されている。モデム基板３１４は、画像処理部３０２から信号を受け取って通信信号に変換するか、あるいは電話回線３１８を通じて機外から送られてくる通信信号を画像信号に変換して画像処理部３０２へ送る不図示のモデムを設けてある基板である。ネットワークコントロール基板（ＮＣＵ）３１５は、モデム基板３１４からの通信信号を電話回線３１８等の通信回線に乗せるための不図示のネットワークコントロール回路を設けてある基板である。モジュラージャック３１６は、画像形成装置３００と通信回線を物理的に接続するジャックである。スピーカ３１７は、ファクシミリに関する音声情報を発するようになっている。
【０００８】
従来、モデム基板３１４は、このモデム基板３１４から放射されるノイズが画像形成装置３００の装置外へ放射されるのを防ぐため、板金等の導電性材料で作られたシールドケースに収められている。
【０００９】
モデム基板３１４は、画像処理部３０２と高速の通信を行うため、一般に、装置本体の画像処理部３０２の近くに配置してあり、ケーブル長を短くして、放射ノイズの発生を少なくしている。通常、モデム基板３１４は、装置本体の画像処理部３０２の近くで、かつ複合機能を備えた画像形成装置３００の背面側に配置してあることが多い。また、画像形成装置の周囲が電源コード、モジュラーケーブル、ネットワークケーブル等のケーブル類で煩雑にならないように、モジュラージャック３１６も装置の背面側に配設してあることが多い。
【００１０】
このため、ファクシミリ機能を構成するモデム基板３１４、ネットワークコントロール基板３１５、モジュラージャック３１６、スピーカ３１７をシールドケースに収納し、ユニット化して、装置背面側に配置してあることが多い。
【００１１】
しかし、スピーカ３１７の音声は、装置前面に立つ操作者が良く聞こえるように、装置の前方に配置するのが好ましい。これに対応できる画像形成装置として、モデム基板３１４等は、１つのユニットとして装置背面側に設置し、かつスピーカ３１７をユニットとは別に装置前方に配置した画像形成装置がある（例えば、特許文献１参照）。
【００１２】
このように、従来の画像形成装置には、スピーカ３１７をシールドケースに取り付けてユニット化し、装置背面側に配置した第１従来例の画像形成装置と、スピーカを装置の前側に配置した第２従来例の画像形成装置とがある。
【００１３】
【特許文献１】
特開２００１−９４６９６号公報（図１乃至図４参照）
【００１４】
【発明が解決しようとする課題】
しかし、従来の画像形成装置は、以下のような解決すべき課題を有していた。
【００１５】
（第１従来例の画像形成装置）
スピーカをシールドケースに取り付けて、装置背面側に配置した第１従来例の画像形成装置は、スピーカが装置の背面側にあるため、装置本体の前面に立つ操作者がスピーカの音を聞き取れるようにスピーカの出力を大きくする必要がある。出力を大きくすると音が歪んだり割れたりするため、最大入力の大きい高価なスピーカを用いたり、音を大きくしたことによる振動を吸収するのに、スピーカの固定部分にクッション材を入れたりしていた。さらに、スピーカ後方にある程度の空間を形成する囲い（エンクロージャ）で、スピーカボックスを形成する場合もあった。これらの理由によって、第１従来例の画像形成装置は、コスト高になっていた。
【００１６】
また、第１従来例の画像形成装置は、設置されている場所によっては、装置背面近くに現在の操作者以外の人の席がある場合、その人にとっては、スピーカの音が非常に耳障りなっていた。
【００１７】
（第２従来例の画像形成装置）
スピーカのみ、装置前面側に配置した第２従来例の画像形成装置は、スピーカの音は問題にならないが、オプションでファクシミリ機能を追加するとき、装置の後カバーを開けてモデム基板等を有するファクシミリユニットを取り付けた後、装置前方のカバーを外して、スピーカを取り付ける必要がある。このため、サービスマンがファクシミリユニット及びスピーカの設置時に要する時間を長く必要としていた。
【００１８】
また、第２従来例の画像形成装置は、装置背面側に配置されるファクシミリユニットと装置前面側に配置されるスピーカと間のケーブルは、オプション設置時に装置内に這わせるのは困難なため、画像形成装置を工場で本体を組み立てるとき、あらかじめ這わせておく必要がある。このため、ファクシミリ機能を必要としないユーザにとっては不要なケーブルとなるため、画像形成装置におけるコスト高の要因の１つになっていた。
【００１９】
さらに、第２従来例の画像形成装置は、上記ケーブルを、両端に何も接続しないで、装置内に残しておくと、そのケーブが本体内の画像処理部等から放射されるノイズのアンテナとなって、本体内のノイズを機外へ放出して、他のＯＡ機器等に悪影響を与えていた。そこで、上記ケーブルのノイズ対策を図ると、画像形成装置全体のノイズ対策に、その分、余計な費用がかかり、画像形成装置のコスト高の要因になっていた。
【００２０】
本発明は、オプションとしてのファクシミリユニットの設置性を向上させるとともに、低コストで、放射ノイズの発生を少なくした画像形成装置を提供することを目的としている。
【００２１】
本発明は、装置を使用している操作者がスピーカ音を聞きやすく、かつ装置後方近くの人にはスピーカ音が耳障りにならない画像形成装置を提供することを目的としている。
【００２２】
【課題を解決するための手段】
上記目的を達成するため、本発明の画像形成装置は、画像信号に基づいてシートに画像を形成する画像形成手段を備えており、外部とファクシミリ信号の授受を行うファクシミリユニットを、装置本体の前面と背面との間に、前記前面に対して略垂直に細長く配置してある。
【００２３】
【発明の実施の形態】
以下、本発明の実施形態の画像形成装置を図面に基づいて説明する。
【００２４】
図１に基づいて、画像形成装置１５１の装置本体１５２の全体構成を説明する。
【００２５】
操作者が、プラテンガラス２００上に本、冊子等のブック原稿や、シート状の原稿、厚紙等の原稿などを、画像形成面を下側にして載置して、コピーキー（不図示）を押すと、画像読取部１５４の光源を有する第１ミラー台２０１、および第２ミラー台２０２が、プラテンガラス２００の下部を図１において左方向に走査する。光源から発せられた光は、原稿の画像形成面で反射した後、第１ミラー台２０１、および第２ミラー台２０２で反射して、ＣＣＤ（電荷結合素子）２０３へと導かれる。ＣＣＤ２０３では画像情報の光を電気信号に変換する。なお、画像読取部１５４は、不図示の光源、第１ミラー台２０１、第２ミラー台２０２、ＣＣＤ２０３等で構成されている。
【００２６】
なお、操作者が、原稿を自動原稿送り装置１５３にセットした場合、第１ミラー台２０１、および第２ミラー台２０２は、図示の位置に停止している。セットされた原稿は、１枚ずつに分離されて、自動原稿送り装置１５３とプラテンガラス２００との間を、第１ミラー台２０１上を通過しながら画像形成面を画像形成装置１５４によって読み取られる。
【００２７】
ＣＣＤ２０３により電気信号に変換された画像情報は、コントローラ４１（図１乃至図４参照）で変倍処理、移動処理等がされた後、レーザスキャナ１１１に伝送される。
【００２８】
なお、画像形成装置１５１の装置本体１５２は、コントローラ４１にＣＣＤ２０３からの画像信号を入力すれば複写機として機能し、外部のパーソナルコンピュータ等の出力信号を入力すればプリンタとして機能するようになっている。
【００２９】
また、画像形成装置１５１の装置本体１５２は、他のファクシミリ装置から送られてくる信号を後述するファクシミリユニット２１（又は５１）を介してコントローラ４１に入力したり、コントローラ４１の処理信号をファクシミリユニット２１（又は５１）を介して、他のファクシミリ装置に送信したりして、ファクシミリ装置としても機能するようになっている。
【００３０】
一方、画像形成装置１５１の装置本体１５２の下部には、シートカセット１０１を装着してある。カセット１０１内に収容されたシートは、給送回転体となるピックアップローラ１０２、および分離パッド１０３によって１枚ずつに分離されてシートカセット１０１から送り出された後、搬送ローラ対１０４によって搬送されて、レジストローラ対１０５に送り込まれる。レジストローラ対１０５は、送られてきたシートを画像形成動作に同期するようにして画像形成部１０６へと給送される。
【００３１】
画像形成手段の一例である画像形成部１０６は、感光体ドラム１１２、画像書き込み光学系１１３、現像器１１４、一次帯電器１１５および転写帯電器１１６等により構成されている。
【００３２】
そして、一次帯電器１１５によって一様に帯電された感光体ドラム１１２の表面に、レーザスキャナ１１１から射出された画像情報に応じたレーザ光が、画像書き込み光学系１１３によって照射されて、潜像が形成される。この潜像に現像器１１４によってトナー現像を施すと、潜像はトナー画像になる。
【００３３】
レジストローラ対１０５は、シートを感光体ドラム１１２の回転に同期して感光体ドラム１１２と現像器１１４との間に送り込む。送り込まれたシートの第１面には、感光体ドラム１１２のトナー画像が、転写帯電器１１６によって転写される。
【００３４】
トナー画像が形成されたシートは、定着装置１１８に搬送されて、加熱及び加圧されてトナー画像が定着される。最後に、シートは、排出ローラ１１９によって排紙トレイ１２０に排出されて、積載される。
【００３５】
また、シートの両面に画像を記録（形成）する場合、定着装置１１８から排出されたシートは、排出ローラ１１９に挟持されて搬送されて、後端が分岐点１２１を通過した時点で、該排出ローラ１１９の逆転によって、両面パス１２２に送り込まれる。この間、シートは、スイッチバック搬送されることになり、表裏反転される。
【００３６】
その後、シートは、搬送ローラ１２３によって搬送されて、レジストローラ対１０５に到達する。反転されたシートは、第２面に前述と同様にしてトナー画像を転写された後、排紙トレイ１２０に排出されて、積載される。
【００３７】
（第１実施形態のファクシミリユニットと、それに関連する構成）
図２は本発明の第１実施形態のファクシミリユニットを装備した画像形成装置を左側から見た内部構造の図である。図３は図１の画像読取部１５４を省略した画像形成装置の俯瞰概略図である。なお、図２、図３は、説明に必要な部分を図示して、他は省略してある。
【００３８】
図１乃至図３において前側板１１、後側板１２、およびステイ１３は、板金製であり、画像形成装置１５１の枠体の一部を構成している。前側板１１と後側板１２との間には、画像形成手段である例えば画像形成部１０６と、ファクシミリユニット２１とを配設してある。また、コントローラ４１は、前側板１１と後側板１２との間から外れた位置に配設してある。なお、コントローラ４１は、前側板１１と後側板１２との間に配設してあってもよい。
【００３９】
ファクシミリユニット２１は、オプションとして画像形成装置１５１に取り付けられるようになっている。ファクシミリユニット２１は、ステイ１３に固定金具２８を引っ掛けてビス止めすることによって、ステイ１３に沿って、画像形成装置１５１の装置本体１５２の左側面内部に取り付けられている。ファクシミリユニット２１の筐体２２は、導電性材料である金属板で箱状に形成されている。すなわち、ファクシミリユニット２１は、装置本体１５２の前面と背面との間に、前面に対して略垂直に細長く配置してあることになる。
【００４０】
筐体２２は、筐体２２と同様な導電性材料である金属板でできた蓋２３で蓋をされて、筐体２２内に収納されたモデム基板２４、ネットワークコントロール基板２５から放射されるノイズをシールドしている。
【００４１】
モデム基板２４は、画像処理部であるコントローラ４１から信号を受け取って通信信号に変換するか、あるいは不図示の電話回線を通じて機外から送られてくる通信信号を画像信号に変換してコントローラ４１へ送る不図示のモデムを設けてある基板である。ネットワークコントロール基板２５は、モデム基板２４からの通信信号を電話回線等の通信回線に乗せるための不図示のネットワークコントロール回路を設けてある基板である。
【００４２】
筐体２２の外側で、画像形成装置１５１の後方側にはモジュラージャック基板２６を取り付けてある。モジュラージャック２７は、画像形成装置１５１と通信回線を物理的に接続するジャックである。モジュラージャック基板２６上には、モジュラージャック２７を実装してある。画像形成装置１５１の左側面のカバー４５のモジュラージャック２７に対向する位置には、モジュラージャック２７に電話回線や子電話を接続できるように孔４５ａを形成してある。ファクシミリユニット２１の蓋２３には、ファクシミリユニット２１をコントローラ４１に接続する信号線４２用のパネルマウントコネクタ２９、およびファクシミリユニット２１を電源部４３に接続する電源線４４用のパネルマウントコネクタ３０を設けてある。
【００４３】
画像形成装置１５１の画像処理部としてのコントローラ４１は、信号線４２によって、蓋２３に取り付けたパネルマウントコネクタ２９を介してモデム基板２４に接続してある。また、画像形成装置１５１の電源部４３は、電源線４４によって、蓋２３に取り付けられたパネルマウントコネクタ３０を介してモデム基板２４およびネットワークコントロール基板２５に接続してある。
【００４４】
また、前側板１１の左端には、スピーカ３１を画像形成装置１５１の装置本体１５２に脇に向けて取り付けてある。すなわち、スピーカ３１は、ファクシミリユニット２１内に設けてあるモデム基板２４やモジュラージャック２７よりも前面側に配設してあり、これらは、画像形成装置１５１の前面から前記背面に向けて、スピーカ３１、モデム基板２４、モジュラージャック２７の順に配列してある。スピーカ３１は、ファクシミリに関する音声情報を発するようになっている。
【００４５】
コントローラ４１とファクシミリユニット２１とは、図２に示すように、後側板１２を挟んで接近した位置に設けてある。このため、コントローラ４１とモデム基板２４とを接続する信号線４２を従来よりも短くすることができて、機外に放射されるノイズを低レベルに抑えることができる。
【００４６】
次に、ファクシミリユニット２１をオプションとして設置するときの手順を説明する。
【００４７】
まず、本体の左カバー４５、左前カバー４６を外す。次に、ファクシミリユニット２１をステイ１３の内側に挿入して、固定金具２８をステイ１３に引っ掛けて、ビスで固定する。その後、蓋２３に取り付けてあるパネルマウントコネクタ２９，３０に、それぞれ信号線４２、および電源線４４を挿入する。また、スピーカ用のケーブル３２を差し込むパネルマウント３３を前側板１１の孔に装着する。次に、スピーカ３１を前側板１１にビス止めして、ケーブル３２を前側板１１に取り付けたパネルマウント３３に差し込む。
【００４８】
左カバー４５の孔４５ａを塞いでいる不図示のキャップを取り外して孔４５ａを開口状態にして、左カバー４５を本体の元の位置に取り付ける。最後に、左前カバー４６も本体の元の位置に取り付ける。
【００４９】
本実施形態の画像形成装置は、画像形成装置を使用しているユーザがスピーカ３１の音声を聞き取りやすいように、スピーカ３１を前側板１１よりも画像形成装置の手前側に配置したにもかかわらず、ファクシミリユニット２１を前側板１１近傍に配置してあるので、ファクシミリユニット２１の組み込み時に、ファクシミリユニット２１とスピーカ３１とを接続するケーブル３２を簡単に接続することができる。
【００５０】
また、本実施形態の画像形成装置は、本体の組み立て時に、あらかじめ、スピーカ用のケーブル３２を本体内部に這わせておく必要がなくなる。したがって、ファクシミリユニット２１を必要としないユーザに対して不要なケーブルを用意しておく必要がなくなるため、画像形成装置の装置本体のコストダウンを図ることができる。
【００５１】
さらに、本実施形態の画像形成装置は、両端とも接続されていないケーブルを本体内を這わせておく必要がなくなり、従来の問題であった、不必要なコードを這わせておくことによって、そのコードが装置内のノイズのアンテナとなり、装置外へノイズを放出するということを解消することができる。
【００５２】
また、本実施形態の画像形成装置は、あらかじめ、スピーカ用のケーブル３２を本体内部に這わせておく必要がなくなるので、ファクシミリユニット２１を装置本体に組み込みやすくなる。
【００５３】
（第２実施形態のファクシミリユニットと、それに関連する構成）
図４は本発明の第２実施形態のファクシミリユニットを装備した画像形成装置を左側から見た内部構造の図である。図５は第２実施形態のファクシミリユニットを備えた画像形成装置の画像読取部を省略した俯瞰概略図である。なお、図４、図５は、説明に必要な部分を図示して、他は省略してある。さらに、第１実施形態のファクシミリユニットと同様な箇所の説明は省略する。
【００５４】
第２実施形態における、前側板１１、後側板１２、およびステイ１３も、板金製であり、画像形成装置１５１の枠体の一部を構成している。前側板１１と後側板１２との間には、画像形成手段である例えば画像形成部１０６と、ファクシミリユニット５１とを配設してある。また、コントローラ４１は、前側板１１と後側板１２との間から外れた位置に配設してある。なお、コントローラ４１は、前側板１１と後側板１２との間に配設してあってもよい。
【００５５】
また、第２実施形態におけるファクシミリユニット５１も、第１実施形態におけるファクシミリユニット２１と同様に、装置本体１５２の前面と背面との間に、前面に対して略垂直に細長く配置してある。さらに、筐体５２と蓋２３もモデム基板２４、ネットワークコントロール基板２５をシールドする導電性材料である金属板でできている。
【００５６】
本実施形態の画像形成装置は、スピーカ３１を筐体５２内にモデム基板２４、ネットワークコントロール基板２５とともに収納してスピーカ３１、モデム基板２４、及びネットワークコントロール基板２５をユニット化した点において、第１実施形態の画像形成装置と構成を異にしている。スピーカ３１は、モデム基板２４やモジュラージャック２７よりも前面側（手前側）に配設してあり、これらは、画像形成装置１５１の前面から前記背面に向けて、スピーカ３１、モデム基板２４、モジュラージャック２７の順に配列してある。
【００５７】
次に、ファクシミリユニット５１をオプションとして画像形成装置の装置本体に組み込む手順を説明する。
【００５８】
まず、本体の左カバー４５を外す。次に、ファクシミリユニット５１をステイ１３の内側に挿入して、固定金具２８をステイ１３に引っ掛けて、ビスで固定する。その後、蓋２３に取り付けてあるパネルマウントコネクタ２９，３０に、それぞれ信号線４２、および電源線４４を挿入する。そして、左カバー４５の孔４５ａを塞いでいる不図示のキャップを取り外して、孔４５ａを開口状態にして、左カバー４５を本体の元の位置に取り付ける。
【００５９】
本実施形態の画像形成装置は、画像形成装置を使用しているユーザがスピーカ３１の音声を聞きやすいように、スピーカ３１を前側板１１の近傍に配置したにもかかわらず、スピーカ３１もファクシミリユニット５１として一体化されているため、設置時に取り外す外装カバーも少なくて、取り付ける部品もファクシミリユニット、１つだけでよく、ケーブルの接続も最低限にすることができて、ファクシミリユニットを組み込みやすくすることができる。
【００６０】
スピーカ３１を、ファクシミリユニット５１の筐体５２内に配置してあるので、本実施形態の画像形成装置においても、あらかじめ、スピーカ用のケーブルを本体内部に這わせておく必要がない。つまり、ファクシミリユニットを必要としないユーザに対して不要なケーブルを用意しておく必要がなくなるため、画像形成装置本体のコストダウンを図ることができる。
【００６１】
本実施形態の画像形成装置は、両端とも接続されていないケーブルを、本体内を這わせておく必要がなくなって、従来の問題であった、不必要なコードを這わせておくことによって、そのコードが装置内のノイズのアンテナとなり、装置外へノイズを放出するということを解消することができる。
【００６２】
また、本実施形態の画像形成装置は、あらかじめ、スピーカ用のケーブル３２を本体内部に這わせておく必要がなくなるので、ファクシミリユニット２１を装置本体に組み込みやすくすることができる。
【００６３】
本発明の実施態様の例を以下に列挙する。
【００６４】
［実施態様１］  画像信号に基づいてシートに画像を形成する画像形成手段を備えた画像形成装置において、外部とファクシミリ信号の授受を行うファクシミリユニットを、装置本体の前面と背面との間に、前記前面に対して略垂直に細長く配置したことを特徴とする画像形成装置。
【００６５】
［実施態様２］  前記ファクシミリユニットは、モデム基板とモジュラージャックとを有し、前記モデム基板及び前記モジュラージャックより前記前面側に、ファクシミリに関する音声を発するスピーカを配設したことを特徴とする実施態様１に記載の画像形成装置。
【００６６】
［実施態様３］  前記モデム基板、前記モジュラージャック、及び前記スピーカを、前記前面から前記背面に向けて、前記スピーカ、前記モデム基板、前記モジュラージャックの順に配設したことを特徴とする実施態様２に記載の画像形成装置。
【００６７】
［実施態様４］  前記ファクシミリユニットは、同一の筐体に少なくともモデム基板、モジュラージャック及びファクシミリに関する音声を発するスピーカを取り付けて形成されていることを特徴とする実施態様２又は３に記載の画像形成装置。
【００６８】
［実施態様５］  前記ファクシミリユニットの筐体は、前記モデム基板を覆う部分を、導電性材料で形成してあることを特徴とする実施態様４に記載の画像形成装置。
【００６９】
［実施態様６］  前記装置本体は、互いに平行に配設された前側板及び後側板と前記画像形成手段に送られる前記画像信号を処理する画像処理部とを備え、前記前側板と前記後側板との間に前記画像形成手段及び前記ファクシミリユニットを配設し、前記前側板と前記後側板との間から外れた位置に前記画像処理部を配設したことを特徴とする実施態様１乃至５のいずれか１項に記載の画像形成装置。
【００７０】
［実施態様７］  前記装置本体は、互いに平行に配設された前側板及び後側板と前記画像形成手段に送られる前記画像信号を処理する画像処理部とを備え、前記前側板と前記後側板との間に前記画像形成手段、前記ファクシミリユニット、及び前記画像処理部を配設したことを特徴とする実施態様１乃至５のいずれか１項に記載の画像形成装置。
【００７１】
本実施態様の画像形成装置は、ファクシミリユニット２１，５１を前面に対して略垂直に細長く配置するようになっているので、ファクシミリユニットを前面もしくは装置側面から装置本体に設置しやすくなる。
【００７２】
本実施態様の画像形成装置は、スピーカ３１を装置本体１５２の手前側（操作者側）に配置して、装置を使用中の操作者がスピーカ３１の音声を聞き取りやすくすることができるようにし、従来、スピーカ３１を後方に配置して音量を上げて音声を聞いていた場合に生じていた問題である、音が歪んだり割れたりするのを防ぐ対策が不要となり、コストを低減することができる。
【００７３】
また、装置背面近くに装置を使用している操作者以外の人の席がある場合、この人に対してのスピーカ３１の音が操作者以上に大きく聞こえて、耳障りになるといった従来の問題も解消することができる。
【００７４】
さらに、モデム基板２４と本体の画像処理部であるコントローラ４１を近接して配置することができるので、両者を接続する信号線４２を短くして、この信号線４２からの放射ノイズの発生量を少なくすることができる。
【００７５】
また、ファクシミリユニット２１，５１を装置本体の後方に配設して、スピーカ３１を本体の手前側に配置する従来の画像形成装置では、ファクシミリユニット２１，５１と、スピーカ３１を組み込みやすくするため、装置本体の組み立て時に這わせていた、両端とも接続されていないスピーカ用ケーブルが不要になるため、コストダウンが可能になるとともに、このケーブルが画像形成装置内から放射されるノイズのアンテナとなることもなく、放射ノイズに対して非常に有利な構成にすることができる。
【００７６】
さらに、モジュラージャック２７が本体後方に配置されるため、電源ケーブル４４やネットワークケーブルとともに本体後方でまとめることができて、画像形成装置の周囲がケーブルで乱雑になることを防ぐことができる。
【００７７】
また、スピーカ３１もモデム基板２４等と一体化することによって、ファクシミリユニット２１，５１を組み込むとき、取り外す外装カバーも少なくて、取り付けるファクシミリユニット２１，５１も１つで済み、ケーブルの接続も必要最小限度にすることができて、ファクシミリユニット２１，５１を組み込みやすくすることができる。
【００７８】
【発明の効果】
本発明の画像形成装置は、ファクシミリユニットを前面に対して略垂直に細長く配置するようになっているので、ファクシミリユニットを前面もしくは装置側面から装置本体に設置しやすくなる。
【００７９】
本発明の画像形成装置は、例えば、スピーカを装置本体の手前側に配置すると、装置を使用中のユーザがスピーカの音声を聞き取りやすくすることができるようになって、従来、スピーカを後方に配置して音量を上げて音声を聞いていた場合に生じていた問題である音が歪んだり割れたりするのを防ぐ対策が不要となり、コストを低減することができる。また、装置背面近くに現在の装置使用者以外の人の席がある場合、この人に対してはスピーカの音が現在のユーザ以上に大きく聞こえて、耳障りであるといった従来の問題も解消することができる。
【００８０】
本発明の画像形成装置は、例えば、モデム基板と装置本体の画像処理部を、近接して配置することによって、両者を接続する信号ケーブルを短くすることができて、このケーブルからの放射ノイズの発生量を少なくすることができる。
【図面の簡単な説明】
【図１】本発明の実施形態のファクシミリユニットを装備した画像形成装置の概略正面断面図である。
【図２】本発明の第１実施形態のファクシミリユニットを装備した画像形成装置を左側から見た内部構造の図である。
【図３】図１の画像読取部を省略した俯瞰概略図である。
【図４】本発明の第２実施形態のファクシミリユニットを装備した画像形成装置を左側から見た内部構造の図である。
【図５】第２実施形態のファクシミリユニットを備えた画像形成装置の画像読取部を省略した俯瞰概略図である。
【図６】複合機能を備えた画像形成装置の信号の流れを模式的に示す図である。
【符号の説明】
１１      前側板
１２      後側板
２１      ファクシミリユニット
２２      筐体
２３      蓋
２４      モデム基板
２５      ネットワークコントロール基板
２６      モジュラージャック基板
２７      モジュラージャック
２９      パネルマウントコネクタ
３０      パネルマウントコネクタ
３１      スピーカ
３２      スピーカ用のケーブル
３３      パネルマウント
４１      コントローラ（画像処理部）
４２      信号線
４３      電源部
４４      電源線
４５      左カバー
４６      左前カバー
５１      ファクシミリユニット
５２      筐体
１０６      画像形成部（画像形成手段）
１５１      画像形成装置
１５２      画像形成装置の装置本体
１５３      自動原稿送り装置
１５４      画像読取部
【図１】
2004274221.tif 000003
【図２】
2004274221.tif 000004
【図３】
2004274221.tif 000005
【図４】
2004274221.tif 000006
【図５】
2004274221.tif 000007
【図６】
2004274221.tif 000008